(57)【要約】【課題】特に照明範囲のより広くすることができる多方向照射の発光ダイオード灯具を提供する。【解決手段】両側にそれぞれ、異なる方向に向かって開口する嵌合凹部が形成される縦式放熱部材と、前記縦式放熱部材の嵌合凹部に嵌設されると共に、該嵌合凹部の開口方向に向かって照射するように設置される少なくとも１つの発光ダイオードを備える２つの発光モジュールとを有する多方向照射の発光ダイオード灯具を提供する。【選択図】図１
0003179317.tif 000002
【実用新案登録請求の範囲】
【請求項１】
両側にそれぞれ、異なる方向に向かって開口する嵌合凹部が形成される縦式放熱部材と、
前記縦式放熱部材の嵌合凹部に嵌設されると共に、該嵌合凹部の開口方向に向かって照射するように設置される少なくとも１つの発光ダイオードを備える２つの発光モジュールと、を有することを特徴とする多方向照射の発光ダイオード灯具。
【請求項２】
前記発光モジュールは、複数の発光ダイオードを備え、それら発光ダイオードは、間隔をおいて配列されることを特徴とする請求項１に記載の多方向照射の発光ダイオード灯具。
【請求項３】
前記嵌合凹部が縦式放熱部材の長手方向に沿って形成されることを特徴とする請求項２に記載の多方向照射の発光ダイオード灯具。
【請求項４】
前記発光モジュールの発光ダイオードが嵌合凹部の長手方向に沿って配列されることを特徴とする請求項３に記載の多方向照射の発光ダイオード灯具。
【請求項５】
前記縦式放熱部材に複数の放熱フィンが設けられることを特徴とする請求項１乃至４の何れか１項に記載の多方向照射の発光ダイオード灯具。
【請求項６】
前記縦式放熱部材は、断面が二等辺三角形を呈し、前記嵌合凹部はそれぞれ、縦式放熱部材の二等辺の側面に形成されることを特徴とする請求項１乃至４の何れか１項に記載の多方向照射の発光ダイオード灯具。
【請求項７】
前記縦式放熱部材は、断面が二等辺三角形を呈し、前記嵌合凹部はそれぞれ、縦式放熱部材の二等辺の側面に形成され、前記放熱フィンは、縦式放熱部材の底辺の側面に設けられることを特徴とする請求項５に記載の多方向照射の発光ダイオード灯具。
【請求項８】
さらに、ケースを有し、該ケースの内部に中空の収容空間が形成され、該収容空間に前記縦式放熱部材が内設されることを特徴とする請求項１乃至４の何れか１項に記載の多方向照射の発光ダイオード灯具。
【請求項９】
さらに、ケースを有し、該ケースの内部に中空の収容空間が形成され、該収容空間に前記縦式放熱部材が内設されることを特徴とする請求項７に記載の多方向照射の発光ダイオード灯具。
【考案の詳細な説明】
【技術分野】
【０００１】
本考案は、照明装置であり、特に発光ダイオードを用いることにより照明範囲を拡大させた発光ダイオード灯具に関するものである。
【背景技術】
【０００２】
冷蔵庫は、内部の食材が一目でわかるように、内部に発光ダイオードが取り付けられており、それら発光ダイオードは通常、ドアの開閉によって点灯が制御され、つまりドアを開けると、発光ダイオードが発光し、ドアを閉めると、発光ダイオードが消える仕組みであるので、電力を節約することができる。
【０００３】
図４に示すように、従来の冷蔵庫に設置されている発光ダイオード灯具３０は、縦式放熱部材３１を備え、該縦式放熱部材３１の一側に収容凹部３２が形成され、該収容凹部３２に発光モジュール３３が嵌設され、該発光モジュール３３の収容凹部３２に発光ダイオード３４が設置され、該発光ダイオード３４が収容凹部３２の開口に向かって照射する。
【０００４】
図５に示すのは、従来の発光ダイオード灯具３０をフレンチドア冷蔵庫４０に設置した実施例であり、該フレンチドア冷蔵庫４０の内部に２つの発光ダイオード灯具３０が設置され、該発光ダイオード灯具３０は、それぞれ反対する側を向くように中央柱４１上に設置されることから、発光ダイオード灯具３０の発光ダイオード３４はそれぞれ反対する方向に向かって照射されるので、フレンチドア冷蔵庫４０の内部を照明することができる。
【０００５】
しかしながら、図５に示す発光ダイオード灯具３０は、照明範囲が狭く、発光ダイオード灯具３０を１つ設置しただけではフレンチドア冷蔵庫４０の内部を十分に照明することができないので、２つ以上の発光ダイオード灯具３０を設置する必要があった。このように、該発光ダイオード灯具３０は、照明が十分ではないので、フレンチドア冷蔵庫４０に設置する発光ダイオード灯具３０の数量を増やす必要があるが、設置すればするほどフレンチドア冷蔵庫４０の生産コストも増えるので、発光ダイオード灯具３０の設置数を減少でき、且つ照明効果を高めることができれば、フレンチドア冷蔵庫４０の実用性を高めることができると共に、生産コストを減少させることもできる。
【考案の概要】
【考案が解決しようとする課題】
【０００６】
上述したように、従来の発光ダイオード灯具は、照明範囲が狭いので、複数の発光ダイオード灯具を用いなければならなく、生産コストが高いという問題があるので、改良する必要がある。
【課題を解決するための手段】
【０００７】
本考案に係る多方向照射の発光ダイオード灯具は、両側にそれぞれ、異なる方向に向かって開口する嵌合凹部が形成される縦式放熱部材と、
前記縦式放熱部材の嵌合凹部に嵌設されると共に、該嵌合凹部の開口方向に向かって照射するように設置される少なくとも１つの発光ダイオードを備える２つの発光モジュールと、を有するものである。
【０００８】
前記発光モジュールは、複数の発光ダイオードを備え、それら発光ダイオードは、間隔をおいて配列されてもよい。
【０００９】
前記嵌合凹部が縦式放熱部材の長手方向に沿って形成されてもよい。
【００１０】
前記発光モジュールの発光ダイオードが嵌合凹部の長手方向に沿って配列されてもよい。
【００１１】
前記縦式放熱部材に複数の放熱フィンが設けられてもよい。
【００１２】
前記縦式放熱部材は、断面が二等辺三角形を呈し、前記嵌合凹部はそれぞれ、縦式放熱部材の二等辺の側面に形成されることが好ましい。
【００１３】
さらに、ケースを有し、該ケースの内部に中空の収容空間が形成され、該収容空間に前記縦式放熱部材が内設されることが好ましい。
【００１４】
さらに、ケースを有し、該ケースの内部に中空の収容空間が形成され、該収容空間に前記縦式放熱部材が内設されることが好ましい。
【考案の効果】
【００１５】
本考案に係る多方向照射の発光ダイオード灯具は、２つの発光モジュールがそれぞれ、反対する側または異なる方向を向くように縦式放熱部材に取り付けられるので、照明範囲が広く、また、その発光モジュールは同一タイプであることから、生産コストを抑えることができると共に、フレンチドア冷蔵庫の中央柱に取り付ける縦式放熱部材の数量も減らすことができるので、冷蔵庫の生産コストをより節約することができる。
【図面の簡単な説明】
【００１６】
【図１】本考案に係る多方向照射の発光ダイオード灯具の断面図である。
【図２】本考案に係る多方向照射の発光ダイオード灯具の部分斜視図である。
【図３】本考案に係る多方向照射の発光ダイオード灯具をフレンチドア冷蔵庫に設置した状態を示す部分断面図である。
【図４】従来の発光ダイオード灯具の部分断面図である。
【図５】従来の発光ダイオード灯具をフレンチドア冷蔵庫に設置した状態に示す部分断面図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１及び図２の実施例に示すように、本考案に係る多方向照射の発光ダイオード灯具１０は、縦式放熱部材１１及び２つの発光モジュール１４を備え、その内、該縦式放熱部材１１は、その両側にそれぞれ、開口が反対する側または異なる方向を向かうように嵌合凹部１２が形成され、該嵌合凹部１２が縦式放熱部材１１の長手方向に沿って形成され、更に、その縦式放熱部材１１における、嵌合凹部１２が形成されていない一側に、複数の放熱フィン１３が設けられる。
【００１９】
前記２つの発光モジュール１４はそれぞれ、縦式放熱部材１１の嵌合凹部１２に嵌設され、該各発光モジュール１４にそれぞれ、嵌合凹部１２の開口方向に向かって照射する、少なくとも１つの発光ダイオード１５が設置される。尚、本実施例における発光モジュール１４は、複数の発光ダイオード１５を備え、それらの発光ダイオード１５は、前記嵌合凹部１２の長手方向に沿って間隔をおいて配列されることが好ましい。
【００２０】
本実施例における多方向照射の発光ダイオード灯具１０における縦式放熱部材１１は、断面が二等辺三角形を呈し、前記嵌合凹部１２はそれぞれ、縦式放熱部材１１の二等辺の側面に形成され、前記放熱フィン１３は、縦式放熱部材１１の底辺の側面に設けられる。
【００２１】
また、本考案における多方向照射の発光ダイオード灯具１０は、縦式放熱部材１１及び発光モジュール１４を外部衝撃から守るために、さらに透明材質からなるケース１６が設けられ、その内部に中空の収容空間１７が形成され、該収容空間１７に縦式放熱部材１１が内設される。尚、本実施例においては、上述したように、ケース１６が透明な部材からなってもよく、蛍光または散光作用を有する透明のケースからなってもよい。
【００２２】
図３に示すように、本考案に係る多方向照射の発光ダイオード灯具１０を用いてフレンチドア冷蔵庫２０に用いる時は、発光モジュール１４の発光ダイオード１５がフレンチドア冷蔵庫２０の内部側に向かうように、多方向照射の発光ダイオード灯具１０をフレンチドア冷蔵庫２０の中央柱２１に取り付けて、フレンチドア冷蔵庫２０の内部に充分な照明を提供する。この構造によれば、発光ダイオード灯具照明範囲が広がるので、従来のような、発光ダイオード灯具を２つ設置してもその照明範囲が狭いという既存の問題点を解決することができる。
【００２３】
本考案に係る多方向照射の発光ダイオード灯具は、２つの発光モジュールがそれぞれ反対する側または異なる方向に向うように縦式放熱部材に取り付けられるので、従来の発光ダイオード灯具の発光ダイオードよりも照明範囲が広く、また、その２つの発光モジュールは同一のタイプであることから、生産コストを抑えることができると共に、フレンチドア冷蔵庫の中央柱に取り付ける縦式放熱部材の数量も減らすことができるので、冷蔵庫の生産コストをより節約することができる。
【符号の説明】
【００２４】
１０  多方向照射の発光ダイオード灯具
１１  縦式放熱部材
１２  嵌合凹部
１３  放熱フィン
１４  発光モジュール
１５  発光ダイオード
１６  ケース
１７  収容空間
２０  フレンチドア冷蔵庫
２１  中央柱
３０  発光ダイオード灯具
３１  縦式放熱部材
３２  収容凹部
３３  発光モジュール
３４  発光ダイオード
４０  フレンチドア冷蔵庫
【図１】
0003179317.tif 000003
【図２】
0003179317.tif 000004
【図３】
0003179317.tif 000005
【図４】
0003179317.tif 000006
【図５】
0003179317.tif 000007